【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
ディスプレイと、
メモリデバイスと、
該メモリデバイスにビデオデータをプログラミングするためのプログラミングポートであって、該メモリデバイスに格納されたビデオデータは、該プログラミングポートを介して読み込むことができない、プログラミングポートと、
該ディスプレイ上に、該メモリデバイスに格納された該ビデオデータの関数として表示されるビデオシーケンスを表示するためのコントローラと
を備える、ビデオディスプレイ装置。
【請求項２】
前記装置は、トロフィー、額、襟ピン、スポーツ用品、スポーツ記念品、交換カード、盤ゲームの駒、本の栞、鍵用の小鎖、名刺、ダイレクトメール品、冷蔵庫マグネット、時計およびグリーティングカードのうちの一つに適合される、請求項１に記載の装置。
【請求項３】
前記装置は、ケースに収納される、請求項１に記載の装置。
【請求項４】
前記装置は、トロフィー、額、衣服、スポーツ用品、スポーツ記念品、盤ゲームの駒、ランプ、本の栞、時計、バッグラベル、ダイレクトメール品、ペットアクセサリー、小銭入れ、財布、グリーティングカードおよびマグネットの一つに取り付けられる、請求項３に記載の装置。
【請求項５】
前記ビデオシーケンスが、広告、説明、自助メッセージ、宗教メッセージ、感傷的なメッセージ、アニメーション、生物、無生物、およびスポーツイベントのうちの少なくとも一つを含む、請求項１に記載の装置。
【請求項６】
前記説明は、医療品および薬品のうちの一つのためである、請求項５に記載の装置。
【請求項７】
前記装置は、該装置に電力を供給する太陽電池および電池のうちの少なくとも一つを備える、請求項１に記載の装置。
【請求項８】
オーディオを提供するオーディオ手段をさらに備える、請求項１に記載の装置。
【請求項９】
２個以上のビデオディスプレイ装置を提供する方法であって、
各装置は、ディスプレイと、ビデオデータを格納するメモリデバイスと、該メモリデバイスをプログラミングするためのプログラミングポートと、該ディスプレイおよび該メモリデバイスを制御することにより、該メモリデバイスに格納された該ビデオデータの関数として表示されるビデオシーケンスを表示するコントローラとを有し、該方法は、
各ビデオディスプレイ装置の該メモリデバイスを、同じビデオデータでプログラミングすることと、
各ビデオディスプレイ装置の該プログラミングポートをディスエーブルにすることにより、該プログラミングポートを介する該メモリデバイスの読み取りとプログラミングとを防止することと
を包含する、方法。
【請求項１０】
前記プログラミングポートをディスエーブルにすることは、該プログラミングポートをシーリングすることと、該プログラミングポートを切断することとのうちの一つを包含する、請求項９に記載の方法。
【請求項１１】
前記メモリデバイスをプログラミングすることは、
第１のビデオシーケンスおよび第２のビデオシーケンスで該メモリデバイスをプログラミングすることを包含し、前記方法は、
前記ビデオディスプレイ装置に、前記ビデオデータの関数として表示されるビデオシーケンスの表示を起動する起動手段を提供することと、
前記起動手段が起動していないとき、該第１のビデオシーケンスを表示することと、
該起動手段が起動しているとき、該第２のビデオシーケンスを表示することと
をさらに包含する、請求項９に記載の方法。
【請求項１２】
前記装置を、トロフィー、額、襟ピン、スポーツ用品、スポーツ記念品、交換カード、盤ゲームの駒、本の栞、鍵用の小鎖、名刺、ダイレクトメール品、冷蔵庫マグネット、時計およびグリーティングカードのうちの一つへ適合させることをさらに包含する、請求項９に記載の方法。
【請求項１３】
前記装置を、トロフィー、額、衣服、スポーツ用品、スポーツ記念品、盤ゲームの駒、ランプ、本の栞、時計、バッグラベル、ダイレクトメール品、ペットアクセサリー、小銭入れ、財布、グリーティングカードおよびマグネットのうちの一つへの取り付けることをさらに包含する、請求項９に記載の方法。
【請求項１４】
前記メモリデバイスをプログラミングすることは、広告、説明、自助メッセージ、感傷的なメッセージ、アニメーション、生物、無生物、宗教メッセージ、およびスポーツイベントのうちの一つを含むビデオデータを用いて、該メモリデバイスをプログラミングすることを含む、請求項９に記載の方法。
【請求項１５】
前記説明は、医療品および薬品のうちの一つのためである、請求項１４に記載の方法。
【請求項１６】
ディスプレイと、
ビデオデータを格納するメモリデバイスと、
該ディスプレイおよび該メモリデバイスを制御することにより、該メモリデバイスに格納された該ビデオデータの関数としてビデオシーケンスを表示するコントローラと
を備える、ビデオディスプレイ装置であって、
該装置は、
トロフィー、額、襟ピン、スポーツ用品、スポーツ記念品、交換カード、盤ゲームの駒、本の栞、鍵用の小鎖、名刺、ダイレクトメール品、冷蔵庫マグネット、時計およびグリーティングカードのうちの一つに適合される、装置。
【請求項１７】
前記メモリデバイスは、フラッシュメモリである、請求項１６に記載の装置。
【請求項１８】
前記メモリデバイスは、ビデオデータで事前プログラミングされる、請求項１６に記載の装置。
【請求項１９】
ディスプレイと、
ビデオデータを格納するメモリデバイスと、
該ディスプレイおよび該メモリデバイスを制御することにより、該メモリデバイスに格納された該ビデオデータの関数としてビデオシーケンスを表示するコントローラと
を備える、ビデオディスプレイ装置であって、
該ビデオディスプレイ装置は、トロフィー、額、衣服、スポーツ用品、スポーツ記念品、盤ゲームの駒、ランプ、本の栞、時計、バッグラベル、ダイレクトメール品、ペットアクセサリー、小銭入れ、財布およびマグネットのうちの一つへ取り付けられる、装置。
【請求項２０】
電力を供給する太陽電池および電池のうちの少なくとも一つをさらに備える、請求項１９に記載の装置。
【請求項２１】
前記メモリデバイスは、ビデオデータで事前にプログラミングされる、請求項１９に記載の装置。
【請求項２２】
ビデオディスプレイ装置を提供する方法であって、
ビデオデータでメモリデバイスをプログラミングすることと
該プログラミングされたメモリデバイス、ディスプレイ、およびコントローラを組み立てることにより、該ビデオディスプレイ装置を形成することと、
を包含し、
該コントローラは、該ディスプレイおよび該メモリデバイスを制御することにより、該メモリデバイスに格納された該ビデオデータの関数として表示されるビデオシーケンスを表示する、方法。
【請求項２３】
ビデオディスプレイ装置を提供する方法であって、
メモリデバイス、ディスプレイ、およびコントローラを組み立てることと、
ビデオデータを用いて、該メモリデバイスをプログラミングすることと、
該プログラミングされたメモリデバイス、該ディスプレイ、および該コントローラをケース内に収納することと
を包含し、
該コントローラは、該ディスプレイおよび該メモリデバイスを制御することにより、該メモリデバイスに格納された該ビデオデータの関数として表示されるビデオシーケンスを表示する、方法。
【請求項２４】
前記装置を筐体へ収納することをさらに包含する、請求項２３に記載の方法。